(57)【要約】  各画素の補助容量に対する幹配線の配置領域の幅を小さくして狭額縁化が図られ、表示ムラの発生が抑制され、良好な表示品位を有する液晶表示パネルを提供する。  液晶表示パネルは、基板上の複数の画素に設けた補助容量、複数行おきに同一グループに属するように列方向に複数並設され、各補助容量に接続された補助容量配線３７、行方向に複数並設され、同一グループの補助容量配線３７に接続された枝配線３８、基板の列方向の縁部に配され、枝配線３８へ各別に信号を支給する複数の幹配線７１〜８２、幹配線７１〜８２から枝配線３８及び補助容量配線３７を通じて補助容量に制御信号を送出する補助容量制御部７を備える。前記グループは列方向に複数のユニットに分割され、同一ユニットのグループの幹配線は列方向に並び、異なるユニットのグループの幹配線は行方向に並び、補助容量制御部７は、複数のユニット毎に、幹配線に制御信号を送出する。
2016143097.tif 000002
【特許請求の範囲】
【請求項１】
基板上にマトリクス状に配置された複数の画素に設けられた補助容量と、
複数行おきに同一グループに属するように列方向に複数並設され、各補助容量に接続された補助容量配線と、
行方向に複数並設され、同一グループの補助容量配線に接続された枝配線と、
前記基板の列方向の縁部に配され、前記枝配線へ各別に信号を支給する複数の幹配線と、
該幹配線から前記枝配線及び前記補助容量配線を通じて前記補助容量に制御信号を送出する信号送出部と
を備える液晶表示パネルにおいて、
前記補助容量配線のグループは列方向に複数のユニットに分割され、
同一ユニットのグループの幹配線は列方向に並び、異なるユニットのグループの幹配線は行方向に並び、
前記信号送出部は、複数のユニット毎に、幹配線に制御信号を送出するように構成されていることを特徴とする液晶表示パネル。
【請求項２】
前記信号送出部に接続され、列方向に並ぶ幹配線の数は、前記複数のユニットに含まれるグループの数より少ないことを特徴とする請求項１に記載の液晶表示パネル。
【請求項３】
前記グループの数は１２であり、
前記補助容量配線のグループは６つのユニットに分割され、
各３つのユニットに制御信号を送出する２つの信号送出部を備えることを特徴とする請求項１又は２に記載の液晶表示パネル。
【請求項４】
前記信号送出部の両端部に、各４本の幹配線が列方向に並ぶように接続され、
一端部側の上から２番目の幹配線は、該幹配線の他端部側部分が、一端部側の上から１番目の幹配線と行方向に並ぶように折れ曲がり、
一端部側の上から３番目の幹配線は、該幹配線の他端部側部分が、一端部側の上から２番目の幹配線と行方向に並ぶように折れ曲がり、さらに、一端部側の上から１番目の幹配線と行方向に並ぶように折れ曲がって、他端部側の上から１番目の幹配線に接続され、
一端部側の上から４番目の幹配線は、該幹配線の他端部側部分が、一端部側の上から３番目の幹配線と行方向に並ぶように折れ曲がり、さらに、一端部側の上から２番目の幹配線と行方向に並ぶように折れ曲がって、他端部側の上から２番目の幹配線に接続され、
他端部側の上から３番目の幹配線は、該幹配線の一端部側部分が、他端部側の上から４番目の幹配線と行方向に並ぶように折れ曲がっており、
各ユニットの枝配線がクロスする幹配線の数はいずれも４本であることを特徴とする請求項３に記載の液晶表示パネル。
【請求項５】
前記信号送出部の両端部に、各３本の幹配線が列方向に並ぶように接続され、
一端部側の上から３番目の幹配線は、該幹配線の他端部側部分が、一端部側の上から１番目の幹配線と行方向に並ぶように折れ曲がり、
他端部側の上から１番目の幹配線は、該幹配線の一端部側部分が、他端部側の上から３番目の幹配線と行方向に並ぶように折れ曲がっていることを特徴とする請求項３に記載の液晶表示パネル。
【請求項６】
基板上にマトリクス状に配置された複数の画素に設けられた補助容量と、
複数行おきに同一グループに属するように列方向に複数並設され、各補助容量に接続された補助容量配線と、
行方向に複数並設され、同一グループの補助容量配線に接続された枝配線と、
前記基板の行方向の縁部に配され、前記補助容量配線へ各別に信号を支給する複数の幹配線と、
該幹配線から前記補助容量配線及び前記枝配線を通じて前記補助容量に制御信号を送出する信号送出部と
を備える液晶表示パネルにおいて、
前記補助容量配線のグループは列方向に複数のユニットに分割され、
同一ユニットのグループの幹配線は行方向に並び、異なるユニットのグループの幹配線は列方向に並び、
前記信号送出部は、複数のユニット毎に、幹配線に制御信号を送出するように構成されていることを特徴とする液晶表示パネル。
【請求項７】
前記信号送出部に接続され、行方向に並ぶ幹配線の数は、前記複数のユニットに含まれるグループの数より少ないことを特徴とする請求項６に記載の液晶表示パネル。
【発明の詳細な説明】
【技術分野】
【０００１】
本発明は、複数行おきに同一グループに属するように列方向に複数並設され、各補助容量に接続された補助容量配線と、行方向に複数並設され、同一グループの補助容量配線にに接続された枝配線と、枝配線へ各別に信号を支給する複数の幹配線とを備える液晶表示パネルに関する。
【背景技術】
【０００２】
液晶表示装置の液晶表示パネル（以下、表示パネルという）の画素領域においては、行及び列を有するマトリクス状に複数の画素が配置されている。１つの画素内には通常、液晶層に印加する実効電圧が異なる２つの副画素が各色に対して設けられている。副画素毎に、異なる補助容量が設けられており、補助容量には振動電圧が付与される。補助容量に付与する電圧の極性を反転させることにより、副画素毎に明暗が付けられる。【０００３】
各副画素の補助容量は、列方向に並設された複数の補助容量配線に接続されており、補助容量配線は、例えば行方向の両端部側に配線された幹配線に接続されている。幹配線及び補助容量配線を通して補助容量に制御信号が送られる。【０００４】
図１０は、従来の表示パネルの補助容量配線と幹配線との接続構造を模式的に示す説明図である。
補助容量配線３７，３７，３７，３７は、図１０に示すように、表示パネルの列方向に並設されている。各補助容量配線３７，３７，３７，３７は、表示パネルの列方向に並設された一対の副画素の各補助容量に接続されている。幹配線７１，７２，７３，７４は、図１０に示すように、表示パネルの行方向の両側縁部に、表示パネルの行方向に並設されている。この表示パネルにおいては、１本の幹配線には、補助容量配線が、列方向において４本おきに接続されている。【０００５】
幹配線７１，７２，７３，７４は、夫々補助容量の制御信号を送る補助容量制御部７に接続されている。補助容量制御部７から、幹配線７１，７２，７３，７４、及び補助容量配線３７，３７，３７，３７を通じて、補助容量に制御信号が送られる。幹配線７１，７２，７３，７４には、表示パネルの上側から制御信号が送られるので、上部に配置された補助容量配線３７と比較して下部に配置された補助容量配線３７の方が、補助容量までの経路が長くなり、抵抗が高くなる。表示パネルにおいては、補助容量を制御する信号に矩形波が用いられているが、下側に配置された補助容量配線３７の信号の矩形波には、波形に遅延が生じる「波形なまり」という現象が生じやすい。【０００６】
図１０においては、信号の種類が４種類である場合を例に挙げているが、波形なまりを抑制することを目的として、振動周期を長くする場合、信号の種類を例えば１２種類等、多くすることになる。補助容量配線抵抗を下げる場合は、幹配線を太くすることになる。前者の場合、幹配線１本の線幅は小さくてもよいが、幹配線間にスペースが必要であるので、本数が多くなると結果的に幹配線を配置する領域が広くなる。従って、いずれの場合においても幹配線を配置する領域が広くなり、表示パネルの額縁サイズが大きくなるという問題があった。【０００７】
特許文献１には、画素領域の列方向に複数の補助容量配線を並設するとともに、複数の枝配線を行方向に並設し、枝配線は制御信号供給部に接続し、枝配線から補助容量配線を通じて補助容量に制御信号を送るように構成された表示パネルの発明が開示されている。      【０００８】
図１１は、特許文献１の表示パネルの補助容量配線、枝配線、及び幹配線の接続構造を模式的に示す説明図である。
この表示パネルにおいては、１２のグループＡ，Ｂ，Ｃ，Ｄ，Ｅ，Ｆ，Ｇ，Ｈ，Ｊ，Ｋ，Ｌ，Ｍに夫々属する補助容量配線３７が列方向に並設され、行方向に枝配線３８が複数並設されている。枝配線３８は、図１１の左側から順に、グループＡ，Ｂ，Ｃ，Ｄ，Ｅ，Ｆ，Ｇ，Ｈ，Ｊ，Ｋ、Ｌ，Ｍの補助容量配線３７に各別に接続されている。表示パネルの列方向の端縁部には列方向に幹配線ａ，ｂ，ｃ，ｄ，ｅ，ｆ，ｇ，ｈ，ｊ，ｋ，ｌ，ｍが並設され、各枝配線３８は、順に幹配線ａ，ｂ，ｃ，ｄ，ｅ，ｆ，ｇ，ｈ，ｊ，ｋ，ｌ，ｍに接続されている。幹配線ａ，ｂ，ｃ，ｄ，ｅ，ｆ，ｇ，ｈ，ｊ，ｋ，ｌ，ｍは補助容量制御部７に接続されている。【０００９】
この表示パネルにおいては、信号の種類は１２種類であり、枝配線は１２のグループに分かれ、同一グループの幹配線に接続されるとともに、同一グループの補助容量配線に接続されている。これにより、グループ毎に、同一のグループに属する幹配線から枝配線３８を通して補助容量配線に同じ制御信号が与えられる。
この表示パネルによれば、補助容量配線及び枝配線の負荷を低減することができるため、幹配線の線幅を細くすることができ、狭額縁化が実現できるとされている。
【先行技術文献】
【特許文献】
【００１０】
【特許文献１】国際公開第２０１０／１３４４３９号
【発明の概要】
【発明が解決しようとする課題】
【００１１】
特許文献１の表示パネルによれば、幹配線を細くしてエリアを縮小することができるが、表示パネルのサイズを大きくした場合、波形なまりの発生を抑制するために、図１１のようにＣＳ信号の種類を多くする必要があり、結果的に幹配線の本数が多くなり、幹配線エリアを十分に狭くするにことはできないという問題がある。【００１２】
本発明は斯かる事情に鑑みてなされたものであり、信号の種類を多くする等して信号の矩形波の波形なまりの発生を抑制した場合に、各画素の補助容量に対する幹配線の配置面積（配置領域の幅）を小さくすることができ、狭額縁化が図られ、信号遅延による表示ムラの発生が抑制されて、良好な表示品位を有する液晶表示パネルを提供することを目的とする。
【課題を解決するための手段】
【００１３】
本発明に係る液晶表示パネルは、基板上にマトリクス状に配置された複数の画素に設けられた補助容量と、複数行おきに同一グループに属するように列方向に複数並設され、各補助容量に接続された補助容量配線と、行方向に複数並設され、同一グループの補助容量配線に接続された枝配線と、前記基板の列方向の縁部に配され、前記枝配線へ各別に信号を支給する複数の幹配線と、該幹配線から前記枝配線及び前記補助容量配線を通じて前記補助容量に制御信号を送出する信号送出部とを備える液晶表示パネルにおいて、前記補助容量配線のグループは列方向に複数のユニットに分割され、同一ユニットのグループの幹配線は列方向に並び、異なるユニットのグループの幹配線は行方向に並び、前記信号送出部は、複数のユニット毎に、幹配線に制御信号を送出するように構成されていることを特徴とする。【００１４】
本発明においては、全てのグループの幹配線が列方向に並設されているのではなく、ユニット毎に列方向に並設した幹配線が行方向に並ぶように構成されているので、幹配線の列方向の並設数が減じ、補助容量信号の数を多くして波形なまりの発生を抑制した状態で、幹配線の配置面積を小さくすることができる。
そして、複数のユニットの群の数（ブロック数）を適宜の数に決定することにより、液晶表示パネルの行方向の一周期目において、補助容量信号が該周期の最後列のユニット側からのみ入力される（片側のみから入力される）ユニットの数を低減させ、補助容量信号の遅延による表示ムラの発生を抑制することができる。【００１５】
本発明に係る液晶表示パネルは、前記信号送出部に接続され、列方向に並ぶ幹配線の数は、前記複数のユニットに含まれるグループの数より少ないことを特徴とする。【００１６】
本発明においては、上述の補助容量信号の遅延による表示ムラの発生を抑制するために、ブロック数を減じ、ブロック内のユニットの数を多くした場合に、幹配線の配置面積を小さくすることができる。【００１７】
本発明に係る液晶表示パネルは、前記グループの数は１２であり、前記補助容量配線のグループは６つのユニットに分割され、各３つのユニットに制御信号を送出する２つの信号送出部を備えることを特徴とする。【００１８】
本発明においては、グループの数が１２であるので、液晶表示パネルのサイズを大きくした場合であっても、補助容量信号の波形なまりの発生が良好に抑制される。【００１９】
本発明に係る液晶表示パネルは、前記信号送出部の両端部に、各４本の幹配線が列方向に並ぶように接続され、一端部側の上から２番目の幹配線は、該幹配線の他端部側部分が、一端部側の上から１番目の幹配線と行方向に並ぶように折れ曲がり、一端部側の上から３番目の幹配線は、該幹配線の他端部側部分が、一端部側の上から２番目の幹配線と行方向に並ぶように折れ曲がり、さらに、一端部側の上から１番目の幹配線と行方向に並ぶように折れ曲がって、他端部側の上から１番目の幹配線に接続され、一端部側の上から４番目の幹配線は、該幹配線の他端部側部分が、一端部側の上から３番目の幹配線と行方向に並ぶように折れ曲がり、さらに、一端部側の上から２番目の幹配線と行方向に並ぶように折れ曲がって、他端部側の上から２番目の幹配線に接続され、他端部側の上から３番目の幹配線は、該幹配線の一端部側部分が、他端部側の上から４番目の幹配線と行方向に並ぶように折れ曲がっており、各ユニットの枝配線がクロスする幹配線の数はいずれも４本であることを特徴とする。【００２０】
本発明においては、補助容量信号の遅延による表示ムラの発生を抑制しつつ、幹配線の配置面積を小さくすることができる。そして、各ユニットの枝配線がクロスする幹配線の数はいずれも４本であるので、全てのグループの容量を等しくすることができる。【００２１】
本発明に係る液晶表示パネルは、前記信号送出部の両端部に、各３本の幹配線が列方向に並ぶように接続され、一端部側の上から３番目の幹配線は、該幹配線の他端部側部分が、一端部側の上から１番目の幹配線と行方向に並ぶように折れ曲がり、他端部側の上から１番目の幹配線は、該幹配線の一端部側部分が、他端部側の上から３番目の幹配線と行方向に並ぶように折れ曲がっていることを特徴とする。【００２２】
本発明においては、幹配線の配置面積をより小さくすることができる。【００２３】
本発明に係る液晶表示パネルは、基板上にマトリクス状に配置された複数の画素に設けられた補助容量と、複数行おきに同一グループに属するように列方向に複数並設され、各補助容量に接続された補助容量配線と、行方向に複数並設され、同一グループの補助容量配線に接続された枝配線と、前記基板の行方向の縁部に配され、前記補助容量配線へ各別に信号を支給する複数の幹配線と、該幹配線から前記補助容量配線及び前記枝配線を通じて前記補助容量に制御信号を送出する信号送出部とを備える液晶表示パネルにおいて、前記補助容量配線のグループは列方向に複数のユニットに分割され、同一ユニットのグループの幹配線は行方向に並び、異なるユニットのグループの幹配線は列方向に並び、前記信号送出部は、複数のユニット毎に、幹配線に制御信号を送出するように構成されていることを特徴とする。【００２４】
本発明においては、全てのグループの幹配線を行方向に並設するのではなく、ユニット毎に幹配線を行方向に並設するので、幹配線の行方向の並設数が減じ、補助容量信号の数を多くして波形なまりの発生を抑制した状態で、幹配線の配置面積を小さくすることができる。【００２５】
本発明に係る液晶表示パネルは、前記信号送出部に接続され、行方向に並ぶ幹配線の数は、前記複数のユニットに含まれるグループの数より少ないことを特徴とする。【００２６】
本発明においては、幹配線の配置面積をより小さくすることができる。
【発明の効果】
【００２７】
本発明によれば、補助容量配線のグループは列方向に複数のユニットに分割され、同一ユニットのグループの幹配線は列方向に並び、異なるユニットのグループの幹配線は行方向に並び、信号送出部は、複数のユニット毎に、幹配線に制御信号を送出するように構成されているので、幹配線の列方向の並設数が減じ、補助容量信号の数を多くして波形なまりの発生を抑制した状態で、幹配線の配置領域の幅を小さくすることができる。
そして、ブロック数を適宜の数に決定することにより、液晶表示パネルの行方向の一周期目において、補助容量信号が片側のみから入力されるユニットの数を低減させ、補助容量信号の遅延による表示ムラの発生を抑制することができる。
【図面の簡単な説明】
【００２８】
【図１】本発明の実施の形態１に係る表示パネルを備える液晶表示装置の外観斜視図である。
【図２】本発明の実施の形態１に係る液晶表示装置の表示モジュールを示す模式的断面図である。
【図３】画素の構成を示す説明図である。
【図４】ＴＦＴ基板上に形成される画素電極を含む素子を模式的に示す説明図である。
【図５】ＴＦＴ基板上に形成される画素電極を含む素子の回路構成を示す図である。
【図６】本発明の実施の形態１に係る表示パネルの補助容量配線、枝配線、及び幹配線の接続構造を模式的に示す説明図である。
【図７】本発明の実施の形態２に係る表示パネルの補助容量配線、枝配線、及び幹配線の接続構造を模式的に示す説明図である。
【図８】本発明の実施の形態３に係る表示パネルの補助容量配線、枝配線、及び幹配線の接続構造を模式的に示す説明図である。
【図９】本発明の実施の形態４に係る表示パネルの補助容量配線、枝配線、及び幹配線の接続構造を模式的に示す説明図である。
【図１０】従来の表示パネルの補助容量配線と幹配線との接続構造を模式的に示す説明図である。
【図１１】特許文献１の表示パネルの補助容量配線、枝配線、及び幹配線の接続構造を模式的に示す説明図である。
【発明を実施するための形態】
【００２９】
以下に、本発明の実施の形態について図面に基づき具体的に説明する。
実施の形態１．
図１は本発明の実施の形態１に係る表示パネルを備える液晶表示装置５０の外観斜視図、図２は液晶表示装置５０の表示モジュール５１を示す模式的断面図である。
液晶表示装置５０は、表示パネル５２及びバックライトユニット５３を有する表示モジュール５１と、該表示モジュール５１を挟むようにして収容する合成樹脂製のフロントキャビネット５４及びリアキャビネット５７と、アンテナ（不図示）から放送波を受信するチューナ５５と、符号化された放送波を復号するデコーダ５６と、スタンド６０とを備える。表示モジュール５１は、全体として横長の略直方体状をなし、縦姿勢でフロントキャビネット５４及びリアキャビネット５７内に収容されている。
【００３０】
表示パネル５２は、アクティブマトリクス基板［ＴＦＴ（薄膜トランジスタ）基板］３と、ＣＦ基板２と、液晶層４と、２枚の偏光板５，６とを有する。ＴＦＴ基板３とＣＦ基板２とはシール材を挟んで互いに貼り合わされており、その間に液晶材料が注入されて液晶層４が形成されている。液晶層４の形成方法として、重ね合わせる前の一方の基板のシールパターンの枠内に液晶材料を滴下し、その後、減圧下で他方の基板を重ね合わせて貼り付ける、滴下貼り合わせ法を採用することにしてもよい。
【００３１】
ＴＦＴ基板３は、例えばガラス製の絶縁性基板（以下、不図示）に、ＴＦＴと、ＴＦＴに走査信号を与える複数のゲート配線（走査配線）と、ＴＦＴに映像信号を与える複数のソース配線（信号配線）とを形成してなり、表面に例えばＩＴＯ等からなる画素電極３１が形成されている。
【００３２】
ＣＦ基板２は、例えばガラス製の絶縁性基板（以下、不図示）に、ブラックマトリックス（ＢＭ）、並びにＲ（赤）、Ｇ（緑）、及びＢ（青）等のカラーフィルタを配列してなり、表面に例えばＩＴＯ等からなる共通電極２２が形成されている。
【００３３】
２枚の偏光板５，６は、ＴＦＴ基板３，ＣＦ基板２夫々の、液晶層４側と反対の側に配されている。偏光板５，６は例えばＰＶＡフィルム等からなる偏光子の両面を保護フィルムで覆ってなる。
【００３４】
バックライトユニット５３は、表示パネル５２の背面側に配される。バックライトユニット５３は、エッジライト方式（サイドライト方式、導光板方式）、及び直下型方式のいずれであってもよい。エッジライト方式の場合、バックライトユニット５３は、光学シート、導光板、及びＬＥＤ基板等の光源をシャーシに収納してなる。
【００３５】
表示パネル５２は、アクティブマトリクス方式を採用している。表示パネル５２は、複数の画素１が格子状に配列している画素領域を有している。例えば画素領域には、行方向に画素１が1920個、列方向に画素１が1080個配列されている。
【００３６】
図３は、画素１の構成を示す説明図である。図３は、図２中のＣＦ基板２における画素１に対応する部分の正面側からの拡大図である。なお、図３において偏光フィルタ及びＣＦ基板２の基材は図示を省略する。
【００３７】
画素１は、６つの副画素１１Ｒａ，１１Ｒｂ，１１Ｇａ，１１Ｇｂ，１１Ｂａ，１１Ｂｂからなる。副画素１１Ｒａ，１１Ｒｂは赤色、副画素１１Ｇａ，１１Ｇｂは緑色、副画素１１Ｂａ，１１Ｂｂは青色の副画素である。
【００３８】
図３に示すように、ＣＦ基板２のカラーフィルタ２１は、フィルタ２１Ｒ，２１Ｇ，２１Ｂと、ブラックマトリックス２０とからなる。赤色のフィルタ２１Ｒ、緑色のフィルタ２１Ｇ、青色のフィルタ２１Ｂは夫々、画素領域の短手方向の長さ及び副画素１１分の幅を有する短冊状のフィルタである。フィルタ２１Ｒ，２１Ｇ，２１Ｂは、ＣＦ基板２の長手方向に沿って、ＲＧＢＲＧＢ…の順に巡回的に並設される。ブラックマトリックス２０は、例えばカーボンブラックを含む合成樹脂膜であり、副画素１１間の隙間を光が透過しないよう、副画素１１夫々に対応する箇所に略矩形の開口部を有するように形成されている。これにより、副画素１１Ｒａ，１１Ｒｂに対応する箇所に赤色のフィルタ２１Ｒが、副画素１１Ｇａ，１１Ｇｂに対応する箇所に緑色のフィルタ２１Ｇが、副画素１１Ｂａ，１１Ｂｂに対応する箇所にフィルタ２１Ｂが表側から視認できるようにされている。
【００３９】
ＣＦ基板２のカラーフィルタ２１上には、対向電極２２が形成されており、対向電極２２は夫々、共通電圧Ｖcom に接続されている（図５参照）。
【００４０】
図４はＴＦＴ基板３上に形成される画素電極３１を含む素子を模式的に示す説明図、図５はＴＦＴ基板３上に形成される画素電極３１を含む素子の回路構成を示す図である。図４は画素１に対応する部分の配向膜側（表面側）から拡大してみた様子を表している。
【００４１】
図４に示すように、ＴＦＴ基板３は、画素１の各副画素１１に対応して、例えばＩＴＯ（Indium tin oxide：酸化インジウムスズ）等の透明導電材料からなる画素電極３１を備える。ＴＦＴ基板３の絶縁性基板には、各画素電極３１に対応して、薄膜トランジスタ（ＴＦＴ：Thin film transistor）３２及び補助容量Ｃｓが各々形成され、各ＴＦＴ３２及び補助容量Ｃｓへ信号を供給するソース配線３３、ゲート配線３４、補助容量配線３７、及び枝配線３８が形成されている。
【００４２】
ＴＦＴ３２は、各色の副画素１１Ｒａ，１１Ｒｂ（１１Ｇａ，１１Ｇｂ、１１Ｂａ，１１Ｂｂ）間の一端部寄りに形成されている。ＴＦＴ３２は、ソース電極３２１、ゲート電極３２２及びドレイン電極３２３を有している。
【００４３】
補助容量Ｃｓは、各色の２つの副画素１１Ｒａ，１１Ｒｂ（１１Ｇａ，１１Ｇｂ、１１Ｂａ，１１Ｂｂ）の上又は下の外側寄りに形成されている。補助容量Ｃｓは、絶縁膜を介して対向する補助容量電極３５，３６間により形成されている。
【００４４】
ゲート配線３４は、各画素１の列方向の中央部を横断し、行方向に延びるように配線されている。ゲート配線３４は絶縁性基板上に形成されている。ゲート配線３４から端部が列方向へ突出する状態で、ゲート電極３２２が形成されている。ゲート配線３４は、ＴＦＴ基板３外のゲートドライバ（図示せず）に接続されている。
【００４５】
ソース配線３３は、各副画素の列方向の間に配線されている。ソース配線３３の、各画素電極３１間に対応する部分の中央部から、行方向へ突出するようにソース電極３２１が形成されている。ソース配線３３は、ＴＦＴ基板３外のソースドライバ（図示せず）に接続されている。
【００４６】
補助容量配線３７は、ゲート配線３４と交互になるように、各画素の列方向の間に配線されている。補助容量配線３７は、絶縁性基板上に形成されている。
【００４７】
枝配線３８は、各画素１において、副画素１１Ｒａ及び１１Ｒｂを通るように構成されている。枝配線３８は、ソース配線３３と同様にメタル材料で形成され、複数行おきに補助容量配線３７にコンタクトホールを介して接続されている。枝配線３８は、後述するように、補助容量配線３７と幹配線７０との間を接続する。枝配線３８は副画素１１Ｇａ及び１１Ｇｂを通るようにしてもよい。
【００４８】
ＴＦＴ３２のドレイン電極３２３は、ソース電極３２１に対向するように行方向に沿って、ゲート配線３４上に絶縁膜を介して形成されている。
【００４９】
補助容量電極３５は、補助容量配線３７上に絶縁膜を介して形成されている。補助容量電極３５は、層間絶縁膜を貫通するコンタクトホール３５１を介して画素電極３１と電気的に接続している。補助容量電極３６は、補助容量配線３７上の、補助容量電極３５と対向する一部である。
【００５０】
ドレイン電極３２３は、引出配線３１５により補助容量電極３５と接続されている。そして、ドレイン電極３２３は、補助容量電極３５を介して画素電極３１に電気的に接続されている。
【００５１】
以上のように構成された画素電極３１、ＴＦＴ３２及び補助容量Ｃｓにより、ゲート配線３４を介して各行のＴＦＴ３２が１行ずつオン状態となったタイミングで、ソース配線３３を介して供給される各行の画素電極３１への制御信号を画素電極３１が入力し、制御信号の情報を補助容量Ｃｓにて保持するようにしてある。これにより、各色の副画素１１Ｒａ，１１Ｒｂ，１１Ｇａ，１１Ｇｂ，１１Ｂａ，１１Ｂｂに対応する液晶層における光の透過量を調整して、各画素１の色及び輝度の階調を微細に表現した画像表示が実現される。
【００５２】
このとき、実施の形態１では、各色の副画素１１Ｒａ，１１Ｒｂ（１１Ｇａ，１１Ｇｂ、１１Ｂａ，１１Ｂｂ）において、各々の補助容量Ｃｓの補助容量電極３６へ、信号電圧変化の方向が逆で変化量が同一の制御信号を送出することにより、各色の副画素１１Ｒａ，１１Ｒｂ（１１Ｇａ，１１Ｇｂ、１１Ｂａ，１１Ｂｂ）で異なる輝度レベルとするようにしてある。これにより、輝度調整をより微細に行なって中間調の表現を豊かにし、視野角特性を向上させることが可能である。
【００５３】
図６は、本発明の実施の形態１に係る表示パネルの補助容量配線、枝配線、及び幹配線の接続構造を模式的に示す説明図である。
図６に示すように、１２のグループＡ，Ｂ，Ｃ，Ｄ，Ｅ，Ｆ，Ｇ，Ｈ，Ｊ，Ｋ，Ｌ，Ｍに夫々属する補助容量配線３７が、列方向に並設されている。
１２のグループは、６つのユニット１（グループＡ，Ｂ）、ユニット２（グループＣ，Ｄ）、ユニット３（グループＥ，Ｆ）、ユニット４（Ｇ，Ｈ）、ユニット５（Ｊ，Ｋ）、ユニット６（Ｌ，Ｍ）に分割されている。
行方向には、グループ毎に補助容量配線３７に接続される枝配線３８が並設されている。
３つのユニットにより１つのブロックが構成される。このブロックは、ソースドライバが画素領域を行方向に分割して制御信号を出力するブロックに対応している。
表示パネル５２の列方向の端縁部には、複数の補助容量制御部７が配されている。補助容量制御部７はブロック毎に制御信号を送出する。
【００５４】
図６の第１ブロックの補助容量制御部７の行方向の一端部には幹配線７１，７２，７３，７４が列方向に並ぶ状態で、他端部には幹配線７３，７４，７５，７６が列方向に並ぶ状態で接続されている。
一端部側の上から２番目の幹配線７２は、幹配線７２の他端部側部分が、一端部側の上から１番目の幹配線７１と行方向に並ぶように折れ曲がっている。一端部側の上から３番目の幹配線７３は、幹配線７３の他端部側部分が、一端部側の上から２番目の幹配線７２と行方向に並ぶように折れ曲がり、さらに、一端部側の上から１番目の幹配線７１と行方向に並ぶように折れ曲がって、他端部側に接続されている。
【００５５】
一端部側の上から４番目の幹配線７４は、幹配線７４の他端部側部分が、一端部側の上から３番目の幹配線７３と行方向に並ぶように折れ曲がり、さらに、一端部側の上から２番目の幹配線７２と行方向に並ぶように折れ曲がって、他端部側に接続されている。
【００５６】
他端部側の上から３番目の幹配線７５は、幹配線７５の一端部側部分が、他端部側の上から４番目の幹配線７４と行方向に並ぶように折れ曲がっている。
【００５７】
幹配線７１はユニット１のグループＡの枝配線３８，３８に接続され、幹配線７２はユニット１のグループＢの枝配線３８，３８に接続されている。グループＡ，Ｂの枝配線３８，３８は行方向に交互に並ぶ。
幹配線７３はユニット２のグループＣの枝配線３８，３８に接続され、幹配線７４はユニット２のグループＤの枝配線３８，３８に接続されている。
幹配線７５はユニット３のグループＥの枝配線３８，３８に接続され、幹配線７６はユニット３のグループＦの枝配線３８，３８に接続されている。
ユニット１〜３において、幹配線は列方向に４本並び、各ユニットの４本の枝配線３８がクロスする幹配線の数はいずれも４本である。
【００５８】
第１ブロックの補助容量制御部７と同様に、第２ブロックの補助容量制御部７の一端部には幹配線７７，７８，７９，８０が、他端部には幹配線７９，８０，８１，８２が接続されている。
【００５９】
幹配線７７はユニット４のグループＧの枝配線３８，３８に接続され、幹配線７８はユニット４のグループＨの枝配線３８，３８に接続されている。
幹配線７９はユニット５のグループＪの枝配線３８，３８に接続され、幹配線８０はユニット５のグループＫの枝配線３８，３８に接続されている。
幹配線８１はユニット６のグループＬの枝配線３８，３８に接続され、幹配線８２はユニット６のグループＭの枝配線３８，３８に接続されている。
ユニット４〜６において、４本の枝配線３８がクロスする幹配線の数はいずれも４本である。
【００６０】
本実施の形態の表示パネル５２は以上のように構成されており、全てのグループの幹配線を列方向に並設するのではなく、ユニット毎に列方向に並設した幹配線が行方向に並ぶので幹配線の列方向の並設数が減じ、補助容量信号のグループの数を１２と多くして波形なまりの発生を抑制した場合においても、幹配線の配置面積（配置領域の幅）を小さくすることができ、狭額縁化が図られている。
なお、特許文献１の表示パネルと本実施の形態の表示パネル５２とを比較した場合、画素領域内での枝配線３８から各補助容量配線３７への入力点数は変わらない。従って、幹配線の負荷は、特許文献１の表示パネルと略同等であり、各補助容量Ｃｓへの制御信号の波形なまりは、特許文献１の表示パネルと同じように抑制されている。
【００６１】
そして、ブロックの数を２にし、一周期は２ブロックで接続しており、表示パネル５２の一周期目において、補助容量信号が２ブロック目からのみ入力されるブロック数は（１＋２／３）ブロック（５ユニット）であり、少ないので、補助容量信号の遅延による表示ムラの発生を抑制することができる。
２ブロック目の次の接続は４ブロック目であり、３ブロック目には、２ブロック目と４ブロック目との両方から信号が入力される。
【００６２】
さらに、１つのブロック内で上述のように幹配線を引き回しているので、列方向に並ぶ幹配線の数は４本であり、１ブロックのグループの数の６より少ないので、幹配線の配置面積を小さくすることができる。しかも、ブロック内の各ユニットの枝配線がクロスする幹配線の数はいずれも４本であるので、全てのグループの容量を等しくすることができる。
【００６３】
実施の形態２．
本発明の実施の形態２に係る表示パネル５８は、補助容量制御部７に対する幹配線の接続の仕方が異なること以外は、実施の形態１に係る表示パネル５２と同様の構成を有する。
【００６４】
図７は、本発明の実施の形態２に係る表示パネル５８の補助容量配線、枝配線、及び幹配線の接続構造を模式的に示す説明図である。
図７の第１ブロックの補助容量制御部７の一端部には幹配線７１，７２，７３が列方向に並ぶ状態で、他端部には幹配線７４，７５，７６が列方向に並ぶ状態で接続されている。
一端部側の上から３番目の幹配線７３は、幹配線７３の他端部側部分が、一端部側の上から１番目の幹配線７１と行方向に並ぶように折れ曲がっている。
他端部側の上から１番目の幹配線７４は、幹配線７４の一端部側部分が、他端部側の上から３番目の幹配線７６と行方向に並ぶように折れ曲がっている。
【００６５】
幹配線７１はユニット１のグループＡの枝配線３８，３８に接続され、幹配線７２はユニット１のグループＢの枝配線３８，３８に接続されている。グループＡ，Ｂの枝配線３８，３８は行方向に交互に並ぶ。
幹配線７３はユニット２のグループＣの枝配線３８，３８に接続され、幹配線７４はユニット２のグループＤの枝配線３８，３８に接続されている。
幹配線７５はユニット３のグループＥの枝配線３８，３８に接続され、幹配線７６はユニット３のグループＦの枝配線３８，３８に接続されている。
ユニット１において４本の枝配線３８がクロスする幹配線の数は３本、ユニット２において４本の枝配線３８がクロスする幹配線の数は２本、ユニット３において４本の枝配線３８がクロスする幹配線の数は３本である。
【００６６】
第１ブロックの補助容量制御部７と同様に、第２ブロックの補助容量制御部７の一端部には幹配線７７，７８，７９が、他端部には幹配線８０，８１，８２が接続されている。
【００６７】
幹配線７７はユニット４のグループＧの枝配線３８，３８に接続され、幹配線７８はユニット４のグループＨの枝配線３８，３８に接続されている。
幹配線７９はユニット５のグループＪの枝配線３８，３８に接続され、幹配線８０はユニット５のグループＫの枝配線３８，３８に接続されている。
幹配線８１はユニット６のグループＬの枝配線３８，３８に接続され、幹配線８２はユニット６のグループＭの枝配線３８，３８に接続されている。
ユニット４において４本の枝配線３８がクロスする幹配線の数は３本、ユニット５において４本の枝配線３８がクロスする幹配線の数は２本、ユニット６において４本の枝配線３８がクロスする幹配線の数は３本である。
【００６８】
本実施の形態においては、列方向に並ぶ幹配線の数は３本であるので、幹配線の配置面積をより小さくすることができる。
【００６９】
実施の形態３．
本発明の実施の形態３に係る表示パネル５９は、１周期当たりのブロックの数が３であること以外は、実施の形態１に係る表示パネル５２と同様の構成を有する。
【００７０】
図８は、本発明の実施の形態３に係る表示パネル５９の補助容量配線、枝配線、及び幹配線の接続構造を模式的に示す説明図である。
図８の第１ブロックの補助容量制御部７の一端部には幹配線７１，７２が列方向に並ぶ状態で、他端部には幹配線７３，７４が列方向に並ぶ状態で接続されている。
幹配線７１はユニット１のグループＡの枝配線３８，３８に接続され、幹配線７２はユニット１のグループＢの枝配線３８，３８に接続されている。グループＡ，Ｂの枝配線３８，３８は行方向に交互に並ぶ。
幹配線７３はユニット２のグループＣの枝配線３８，３８に接続され、幹配線７４はユニット２のグループＤの枝配線３８，３８に接続されている。グループＣ，Ｄの枝配線３８，３８は行方向に交互に並ぶ。
【００７１】
同様に、第２ブロックの補助容量制御部７の一端部には幹配線７５，７６が列方向に並ぶ状態で、他端部には幹配線７７，７８が列方向に並ぶ状態で接続されている。
幹配線７５はユニット３のグループＥの枝配線３８，３８に接続され、幹配線７６はユニット３のグループＦの枝配線３８，３８に接続されている。
幹配線７７はユニット４のグループＧの枝配線３８，３８に接続され、幹配線７８はユニット４のグループＨの枝配線３８，３８に接続されている。
【００７２】
同様に、第３ブロックの補助容量制御部７の一端部には幹配線７９，８０が列方向に並ぶ状態で、他端部には幹配線８１，８２が列方向に並ぶ状態で接続されている。
幹配線７９はユニット５のグループＪの枝配線３８，３８に接続され、幹配線８０はユニット５のグループＫの枝配線３８，３８に接続されている。
幹配線８１はユニット６のグループＬの枝配線３８，３８に接続され、幹配線８２はユニット６のグループＭの枝配線３８，３８に接続されている。
【００７３】
本実施の形態の表示パネル５９は以上のように構成されており、列方向に並ぶ幹配線の数が２本であるので、幹配線の配置面積をより小さくすることができる。
ブロックの数は３であり、一周期は３ブロックで接続しており、表示パネル５９の一周期目において、補助容量信号が３ブロック目からのみ入力されるブロック数は２．５ブロック（５ユニット）であり、少ないので、補助容量信号の遅延による表示ムラの発生を抑制することができる。
【００７４】
実施の形態４．
本発明の実施の形態４に係る表示パネル６１は、補助容量制御部７が表示パネルの行方向の端縁部に配されていること以外は、実施の形態１に係る表示パネル５２と同様の構成を有する。
【００７５】
図９は、本発明の実施の形態４に係る表示パネル６１の補助容量配線、枝配線、及び幹配線の接続構造を模式的に示す説明図である。
１２のグループＡ，Ｂ，Ｃ，Ｄ，Ｅ，Ｆ，Ｇ，Ｈ，Ｊ，Ｋ，Ｌ，Ｍに夫々属する補助容量配線３７は２つのブロックに分割され、各ブロックのグループは３つのユニットに分割されている。
表示パネル６１の行方向の端縁部には、複数の補助容量制御部７が列方向に並設されている。補助容量制御部７はブロック毎に制御信号を送出する。
【００７６】
図９の第１ブロックの補助容量制御部７の列方向の一端部には幹配線７１，７２，７３が行方向に並ぶ状態で、他端部には幹配線７４，７５，７６が行方向に並ぶ状態で接続されている。
一端部側の左から３番目の幹配線７３は、幹配線７３の他端部側部分が、一端部側の上から１番目の幹配線７１と列方向に並ぶように折れ曲がっている。
他端部側の左から１番目の幹配線７４は、幹配線７４の一端部側部分が、他端部側の左から３番目の幹配線７６と列方向に並ぶように折れ曲がっている。
【００７７】
幹配線７１はユニット１のグループＡの枝配線３８に接続され、幹配線７２はユニット１のグループＢの枝配線３８に接続されている。
幹配線７３はユニット２のグループＣの枝配線３８に接続され、幹配線７４はユニット２のグループＤの枝配線３８に接続されている。
幹配線７５はユニット３のグループＥの枝配線３８に接続され、幹配線７６はユニット３のグループＦの枝配線３８に接続されている。
ユニット１において２本の枝配線３８がクロスする幹配線の数は３本、ユニット２において２本の枝配線３８がクロスする幹配線の数は２本、ユニット３において２本の枝配線３８がクロスする幹配線の数は３本である。
【００７８】
図９の第２ブロックの補助容量制御部７の列方向の一端部には幹配線７７，７８，７９が行方向に並ぶ状態で、他端部には幹配線８０，８１，８２が行方向に並ぶ状態で接続されている。
【００７９】
幹配線７７はユニット４のグループＧの枝配線３８に接続され、幹配線７８はユニット４のグループＨの枝配線３８に接続されている。
幹配線７９はユニット５のグループＪの枝配線３８に接続され、幹配線８０はユニット５のグループＫの枝配線３８に接続されている。
幹配線８１はユニット６のグループＬの枝配線３８に接続され、幹配線８２はユニット６のグループＭの枝配線３８に接続されている。
【００８０】
本実施の形態においては、全てのグループの幹配線が行方向に並設されるのではなく、ユニット毎に行方向に並設した幹配線が列方向に並ぶように構成されているので、幹配線の行方向の並設数が減じ、補助容量信号の数を多くして波形なまりの発生を抑制しつつ、幹配線の配置面積を小さくすることができる。従って、表示パネル６１の狭額縁化が図られている。
【００８１】
開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
例えば補助容量配線のグループの数は１２に限定されるものではなく、６でもよい。この場合、１周期を１ブロック、３ユニットで構成する例が挙げられる。また、グループの数は４でもよく、１周期を１ブロック、２ユニットで構成する例が挙げられる。
【符号の説明】
【００８２】
１  画素
２  ＣＦ基板
２２  対向電極
３  ＴＦＴ基板
３１  画素電極
３２  ＴＦＴ
３７  補助容量配線
３８  枝配線
４  液晶層
５、６  偏光板
７  補助容量制御部（信号送出部）
７１、７２、７３、７４、７５、７６、７７、７８、７９、８０、８１、８２  幹配線  ５０  液晶表示装置
５１  表示モジュール
５２、５８、５９、６１  表示パネル
５３  バックライトユニット
５４  フロントキャビネット
５５  チューナ
５６  デコーダ
５７  リアキャビネット
６０  スタンド
Ｃｓ  補助容量
【図１】
2016143097.tif 000003
【図２】
2016143097.tif 000004
【図３】
2016143097.tif 000005
【図４】
2016143097.tif 000006
【図５】
2016143097.tif 000007
【図６】
2016143097.tif 000008
【図７】
2016143097.tif 000009
【図８】
2016143097.tif 000010
【図９】
2016143097.tif 000011
【図１０】
2016143097.tif 000012
【図１１】
2016143097.tif 000013
【国際調査報告】
2016143097.tif 000014
2016143097.tif 000015
2016143097.tif 000016
2016143097.tif 000017